(57)【要約】【課題】光学的に読取可能な１次元方向又は２次元方向に展開されたコードを固定したカードの当該コードを読み取るにあたり、カードを読取位置に迅速に安定させ、サイズの異なるカードを読取る。【解決手段】カード読取装置Ｒ０１に備わるカード保持部Ｒ０２は、カードＱ１０の面に接することで撮像部Ｒ０３の光学軸Ｚの方向についてカードの位置を規制する第１規制部Ｒ０４と、カードの縁に接することで第２軸Ｘの方向についてカードの位置を規制する第２規制部Ｒ０５と、カードの縁に接することで第３軸Ｙの方向についてカードの位置を規制する第３規制部Ｒ０６と、第２軸の第２規制部に相対する方向及び第３軸の第３規制部に相対する方向にカードを移動可能に開放する開放部（挿入口Ｒ０７）とを有する。第１、第２及び第３規制部によって規制され、開放部によって開放された状態でカード保持部に保持されたカードのコードを撮像部が撮像するようにした。【選択図】図３
2015191488.tif 000002
【特許請求の範囲】
【請求項１】
カードに固定され、当該カードの面に平行な１次元方向又は２次元方向に展開されたコードを光学的に読み取るカード読取装置であって、
前記カードを所定の配置に保持するカード保持部と、
前記カード保持部に保持された前記カードに固定されている前記コードを撮像する撮像部と、
前記撮像部により撮像された画像に基づき前記コードを読み取る読取処理部と、を備え、
前記カード保持部は、
前記カードの面に接することで前記撮像部の光学軸の方向について前記カードの位置を規制する第１規制部と、
前記カードの縁に接することで前記光学軸に直交する第２軸の方向について前記カードの位置を規制する第２規制部と、
前記カードの縁に接することで前記光学軸及び前記第２軸に直交する第３軸の方向について前記カードの位置を規制する第３規制部と、
前記第２軸の前記第２規制部に相対する方向及び前記第３軸の前記第３規制部に相対する方向について前記カードを移動可能に開放する開放部と、を有し、
前記第１、第２及び第３規制部によって規制され、前記開放部によって開放された状態で前記カード保持部に保持された前記カードの前記コードを前記撮像部が撮像するカード読取装置。
【請求項２】
前記カード保持部は、
前記光学軸に沿って前記第１規制部に相対する範囲に、前記カードが挿入される間隔を隔てて設けられた第４規制部と、
前記開放部としてのカード挿入口と、を有し、
前記カード挿入口が前記第２軸及び前記第３軸に対して傾斜していることを特徴とする請求項１に記載のカード読取装置。
【請求項３】
請求項１に記載のカード読取装置と、サイズの異なる２種以上の前記カードと、を備え、
前記カードは、そのサイズによらず、前記第２規制部に規制される縁及び前記第３規制部に規制される縁を基準にした前記カード読取装置による読取範囲に前記コードが固定されているカード読取システム。
【請求項４】
請求項２に記載のカード読取装置と、サイズの異なる２種以上の前記カードと、を備え、
前記カードは、そのサイズによらず、前記第２規制部に規制される縁及び前記第３規制部に規制される縁を基準にした前記カード読取装置による読取範囲に前記コードが固定されているカード読取システム。
【請求項５】
前記カード保持部は、前記カードのサイズによらず、前記カード挿入口に挿入された前記カードの挿入方向後端部が前記カード挿入口から延出された状態で前記カードを保持する請求項４に記載のカード読取システム。
【発明の詳細な説明】
【技術分野】
【０００１】
本発明は、カード読取装置及びカード読取システムに関する。
【背景技術】
【０００２】
従来、ＩＣカードや、光学的に読取可能な１次元方向又は２次元方向に展開されたコードを固定したカードが利用されている。
特許文献１には、ＩＣカードの挿入口に対してＩＣカードを斜めに挿入し、ＩＣカードの１コーナー部を外部に突出させた状態で、ＩＣカードと通信を行うＩＣカード用リーダライタであって、少なくとも、カードの挿入に際してカード辺に接する挿入ガイドと、ＩＣカード用リーダライタの端子ピンとＩＣカードの端子部とが接触して通信を行う際の所定位置へＩＣカードを位置決めする前記ＩＣカードの１コーナー部の対角方向のコーナー部を挾む２辺を支持するストッパーと、前記ＩＣカードの１コーナー部を挾む２辺を固定するためのロック機構とを設けていることを特徴とするＩＣカード用リーダライタが記載されている。
【先行技術文献】
【特許文献】
【０００３】
【特許文献１】特許第３５４２８３７号公報
【発明の概要】
【発明が解決しようとする課題】
【０００４】
しかしながら、特許文献１に記載のカード読取装置は、接触型ＩＣ用であって、カードの１コーナー部を外部に突出させた状態で、他の３コーナーを挿入口内に収め、かつ、突出させた１コーナー部を挾む２辺を固定するためのロック機構を備えるので、サイズの異なるカードの読取が困難であるという問題がある。
一方、光学的に読取可能な１次元方向又は２次元方向に展開されたコードを固定したカードの当該コードを含む部分を撮像して当該コードを読み取る場合、接触型ＩＣのように位置規制は厳密に求められないものの、まったく位置規制しない場合や、カメラとの距離のみ規制しカメラの光軸に垂直な方向について位置規制しない場合は、カードが読取可能な位置に安定するまでに時間がかかり、読取に時間がかかるという問題がある。
【０００５】
本発明は以上の従来技術における問題に鑑みてなされたものであって、光学的に読取可能な１次元方向又は２次元方向に展開されたコードを固定したカードの当該コードを含む部分を撮像して当該コードを読み取るにあたり、カードを読取位置に迅速に安定させること、サイズの異なるカードを読取ることを課題とする。
【課題を解決するための手段】
【０００６】
以上の課題を解決するための請求項１記載の発明は、カードに固定され、当該カードの面に平行な１次元方向又は２次元方向に展開されたコードを光学的に読み取るカード読取装置であって、
前記カードを所定の配置に保持するカード保持部と、
前記カード保持部に保持された前記カードに固定されている前記コードを撮像する撮像部と、
前記撮像部により撮像された画像に基づき前記コードを読み取る読取処理部と、を備え、
前記カード保持部は、
前記カードの面に接することで前記撮像部の光学軸の方向について前記カードの位置を規制する第１規制部と、
前記カードの縁に接することで前記光学軸に直交する第２軸の方向について前記カードの位置を規制する第２規制部と、
前記カードの縁に接することで前記光学軸及び前記第２軸に直交する第３軸の方向について前記カードの位置を規制する第３規制部と、
前記第２軸の前記第２規制部に相対する方向及び前記第３軸の前記第３規制部に相対する方向について前記カードを移動可能に開放する開放部と、を有し、
前記第１、第２及び第３規制部によって規制され、前記開放部によって開放された状態で前記カード保持部に保持された前記カードの前記コードを前記撮像部が撮像するカード読取装置である。
【０００７】
請求項２記載の発明は、前記カード保持部は、
前記光学軸に沿って前記第１規制部に相対する範囲に、前記カードが挿入される間隔を隔てて設けられた第４規制部と、
前記開放部としてのカード挿入口と、を有し、
前記カード挿入口が前記第２軸及び前記第３軸に対して傾斜していることを特徴とする請求項１に記載のカード読取装置である。
【０００８】
請求項３記載の発明は、請求項１に記載のカード読取装置と、サイズの異なる２種以上の前記カードと、を備え、
前記カードは、そのサイズによらず、前記第２規制部に規制される縁及び前記第３規制部に規制される縁を基準にした前記カード読取装置による読取範囲に前記コードが固定されているカード読取システムである。
【０００９】
請求項４記載の発明は、請求項２に記載のカード読取装置と、サイズの異なる２種以上の前記カードと、を備え、
前記カードは、そのサイズによらず、前記第２規制部に規制される縁及び前記第３規制部に規制される縁を基準にした前記カード読取装置による読取範囲に前記コードが固定されているカード読取システムである。
【００１０】
請求項５記載の発明は、前記カード保持部は、前記カードのサイズによらず、前記カード挿入口に挿入された前記カードの挿入方向後端部が前記カード挿入口から延出された状態で前記カードを保持する請求項４に記載のカード読取システムである。
【発明の効果】
【００１１】
本発明によれば、カードの縁に接している第２規制部及び第３規制部のそれぞれに相対する方向について移動可能に開放された状態で保持されたカードのコードを撮像部が撮像するので、第２規制部及び第３規制部によって規制される方向へカードを付勢することで、カードを読取位置に迅速に安定させることができ、移動可能に開放された空間に、より大きなサイズのカードを存在させることができるので、サイズの異なるカードを読取ることができる。
【図面の簡単な説明】
【００１２】
【図１】本発明の一実施形態に係るカード読取システムの外観斜視図である。
【図２】本発明の一実施形態に係るカード読取装置の斜視図であり、カード読取装置の内部構造を記載したものである。
【図３】本発明の一実施形態に係るカード保持部及びカードの平面図である。
【発明を実施するための形態】
【００１３】
以下に本発明の一実施形態につき図面を参照して説明する。以下は本発明の一実施形態であって本発明を限定するものではない。
【００１４】
本実施形態のカード読取装置Ｒ０１は、カードＱ０１に固定されたコードＱ１０を読み取る装置である。
図１に示すようにカードＱ０１には、カードの面に平行な１次元方向又は２次元方向に展開されたコードＱ１０が印刷により固定されている。本実施形態では、２次元方向に展開されたコードＱ１０を図示する。
【００１５】
図１及び図２によって示すようにカード読取装置Ｒ０１は、カードＱ０１を所定の配置に保持するカード保持部Ｒ０２と、カード保持部Ｒ０２に保持されたカードＱ０１に固定されているコードＱ１０を撮像する撮像部Ｒ０３と、撮像部Ｒ０３により撮像された画像に基づきコードＱ１０を読み取る図示しない読取処理部と、を備える。
撮像部Ｒ０３としてはデジタルカメラが適用される。読取処理部は集積回路で実現され、撮像部Ｒ０３から出力された画像データを画像処理してコードを複合化する。
【００１６】
さらに補足的に図３を参照する。なお、図１に示すカードＱ０１の外形は、図３において４点Ｑ１１‐Ｑ１３‐Ｑ２７‐Ｑ２５を結んだ四辺形に相当する。
カード保持部Ｒ０２は、カードＱ０１の面に接することで撮像部Ｒ０３の光学軸Ｚの方向についてカードＱ０１の位置を規制する第１規制部Ｒ０４と、カードＱ０１の縁（Ｑ１１‐Ｑ１３）に接することで光学軸Ｚに直交する第２軸Ｘの方向についてカードの位置を規制する第２規制部Ｒ０５と、カードＱ０１の縁（Ｑ１１‐Ｑ２５）に接することで光学軸Ｚ及び第２軸Ｘに直交する第３軸Ｙの方向についてカードＱ０１の位置を規制する第３規制部Ｒ０６と、第２軸Ｘの第２規制部Ｒ０５に相対する方向（図３の座標でＸの負の方向）及び第３軸Ｙの第３規制部Ｒ０６に相対する方向（図３の座標でＹの負の方向）についてカードＱ０１を移動可能に開放する開放部と、を有する。
開放部は本実施形態では、カード挿入口Ｒ０７である。すなわち、カード保持部Ｒ０２は、光学軸Ｚに沿って第１規制部Ｒ０４に相対する範囲に、カードＱ０１が挿入される間隔を隔てて設けられた第４規制部Ｒ０８と、開放部としてのカード挿入口Ｒ０７と、を有する。カード挿入口Ｒ０７が第２軸Ｘ及び第３軸Ｙに対して略４５度で傾斜している。
なお、第４規制部Ｒ０８は、カード保持空間と撮像部Ｒ０３との間に介在するので、透明部材により構成される。
【００１７】
カードＱ０１を、そのコードＱ１０に近い角を先にしてカード挿入口Ｒ０７に挿入すると、カードＱ０１の縁（Ｑ１１‐Ｑ１３）が第２規制部Ｒ０５に当接するとともに、カードＱ０１の縁（Ｑ１１‐Ｑ２５）が第３規制部Ｒ０６に当接して、カードＱ０１はカード保持部Ｒ０２に所定の配置に保持される。
このとき、コードＱ１０が読取範囲Ｒ０９に入り、撮像部Ｒ０３が撮像する。すなわち、第１、第２及び第３規制部Ｒ０４，Ｒ０５，Ｒ０６、さらに第４規制部Ｒ０８によって規制され、開放部であるカード挿入口Ｒ０７によって開放された状態でカード保持部Ｒ０２に保持されたカードＱ０１のコードＱ１０を撮像部Ｒ０３が撮像する。
読取処理部は、撮像部Ｒ０３の撮像した画像に基づきコードＱ１０を読み取る、すなわち、復号化する。
また、カードＱ０１の挿入方向後端は、カード挿入口Ｒ０７から延出された状態である。したがって、使用者はカードＱ０１の挿入から抜き去りまでを始終カードＱ０１を把持した状態で行うことできる。カード読取装置Ｒ０１が発する読取成功音などの報知により、使用者はカードＱ０１を抜き去る。
【００１８】
以上のコードＱ１０が読取範囲Ｒ０９に配置される点、及びカードの挿入方向後端がカード挿入口Ｒ０７から延出された状態でカード保持部Ｒ０２に保持される点は、カードサイズによらず実現される。
例えば図３に示す、４点Ｑ１１‐Ｑ１３‐Ｑ２７‐Ｑ２５を結んだ四辺形に相当するカードＱ０１（図１）のほか、４点Ｑ１１‐Ｑ１３‐Ｑ１８‐Ｑ１６を結んだ四辺形に相当するカード、４点Ｑ１１‐Ｑ１５‐Ｑ２９‐Ｑ２５を結んだ四辺形に相当するカード、４点Ｑ１１‐Ｑ１５‐Ｑ２０‐Ｑ１６を結んだ四辺形に相当するカードを適用することができる。
さらに、４点Ｑ１１‐Ｑ１４‐Ｑ２４‐Ｑ２１を結んだ四辺形に相当するカード、４点Ｑ１１‐Ｑ１２‐Ｑ２２‐Ｑ２１を結んだ四辺形に相当するカード、４点Ｑ１１‐Ｑ１４‐Ｑ３２‐Ｑ３０を結んだ四辺形に相当するカード、４点Ｑ１１‐Ｑ１２‐Ｑ３１‐Ｑ３０を結んだ四辺形に相当するカードその他を適用することができる。
適用されるカードのなかで一番小さなカードでもカード挿入口Ｒ０７の中に全部が入らないように設定される。すなわち、カード保持部Ｒ０２は、カードのサイズによらず、カード挿入口Ｒ０７に挿入されたカードの挿入方向後端部がカード挿入口Ｒ０７から延出された状態でカードを保持する。
【００１９】
図３に示すように第２軸Ｘの第２規制部Ｒ０５に相対する方向について開放すべき範囲Ｒ１０は、Ｙ座標において第３規制部Ｒ０６によって規制される位置まで確保し、Ｙ座標の負の方向については特に制限する必要はないがカードサイズを超えることが必要である。同様に、図３に示すように第３軸Ｙの第３規制部Ｒ０６に相対する方向について開放すべき範囲Ｒ１１は、Ｘ座標において第２規制部Ｒ０５によって規制される位置まで確保し、Ｘ座標の負の方向については特に制限する必要はないがカードサイズを超えることが必要である。特に、適用する最大サイズのカードの挿入の妨げにならないように構成し、同カードの挿入の妨げにならないカード保持部Ｒ０２からの遠方位置の構成は不問である。
適用されるカードは、そのサイズによらず、第２規制部Ｒ０５に規制される縁（Ｑ１１‐Ｑ１５側）及び第３規制部Ｒ０６に規制される縁（Ｑ１１‐Ｑ３０側）を基準にしたカード読取装置Ｒ０１による読取範囲Ｒ０９にコードＱ１０が固定されている。
以上により、どんなサイズのカードも読み取ることが可能である。
また。同じサイズのガードでも、カード挿入口Ｒ０７に向かって左側に長く延出するカードと、右側に長く延出するカードとを使用することができる。このことは、カードデザインにおいて、コードＱ１０を左寄りに配置するか又は右寄りに配置するかの選択性をもたらし、カードのデザインの自由度、カードの多品種化に寄与する。
【００２０】
なお、以上の実施形態にあっては第４規制部Ｒ０８を設けたが、これを設けず、第３規制部Ｒ０４の対向範囲を開放してもよい。この場合、第３規制部Ｒ０４を透明部材として第３規制部Ｒ０４の裏に撮像部を配置しコードＱ１０を第３規制部Ｒ０４側に向けて配置させるようにするか、第３規制部Ｒ０４の対向方向に距離を離して撮像部を設置することで実施する。撮像部の光学軸の方向についてカードの位置規制は、第１規制部にカード面が接することで十分に成し得る。  
【符号の説明】
【００２１】
Ｑ０１ カード
Ｑ１０ コード
Ｒ０１ カード読取装置
Ｒ０２ カード保持部
Ｒ０３ 撮像部
Ｒ０４ 第１規制部
Ｒ０５ 第２規制部
Ｒ０６ 第３規制部
Ｒ０７ カード挿入口
Ｒ０８ 第４規制部
Ｒ０９ 読取範囲
Ｘ     第２軸
Ｙ     第３軸
Ｚ     光学軸
【図１】
2015191488.tif 000003
【図２】
2015191488.tif 000004
【図３】
2015191488.tif 000005